(57)【要約】【課題】  空気膜構造体と送風機というシンプルな構造でありながら、パイプテントや建物の屋根部に空気膜構造体を設けることにより、アイキャッチ性に優れ広告等の役目をすると共に、送風機により流入する空気にて断熱効果を有し、特に夏場のテント使用時には涼しく使用でき、建物においてはヒートアイランド現象を抑えることができる３次元空気膜構造体を実現する。【解決手段】  パイプテントの屋根部に取り付けるもので、空気膜構造体と、該空気膜構造体を膨らませる送風機とから構成することを特徴とする。【選択図】  図１
2005330787.tif 000002
【特許請求の範囲】
【請求項１】
パイプテントの屋根部に取り付けるもので、空気膜構造体と、該空気膜構造体を膨らませる送風機とから構成することを特徴とする３次元空気膜構造体。
【請求項２】
空気膜構造体に、パイプテントのパイプに着脱自在に取り付けるべく、凹凸テープ等による固着部を設けてなることを特徴とする請求項１記載の３次元空気膜構造体。
【請求項３】
建物の屋根部に取り付けるもので、空気膜構造体と、該空気膜構造体を膨らませる送風機とから構成することを特徴とする３次元空気膜構造体。
【請求項４】
空気膜構造体に、建物の屋根部に取り付けるべく、固定板による固定部を設けてなることを特徴とする請求項３記載の３次元空気膜構造体。
【請求項５】
空気膜構造体が、キャラクター・動物・植物・乗物等の形状であることを特徴とする請求項１、２、３又は４記載の３次元空気膜構造体。
【発明の詳細な説明】
【技術分野】
【０００１】  本発明は、広告等のアイキャッチ性に優れると共に、断熱効果を有する３次元空気膜構造体に関するものである。
【背景技術】
【０００２】  従来の技術としては、家屋屋根の内面に、少なくとも片面を低放射率素材で構成した柔軟性のあるシート（低放射率シート）、又は少なくとも片面を低放射率加工した柔軟性のあるシート（低放射率シート）を屋根面に対向させて、室内と屋根材間に挿入敷設し、かつ屋根材と前記シート間に空隙を設ける。すなわち、入熱側固体である屋根材と遮熱シートが直接接触しないように空気層（空隙）を介在させ、表面の放射率の低い柔軟性のあるシートを挿入する構成が開示されている。（特許文献１参照）
【特許文献１】  特開２００４−１００４２８号  公報
【発明の開示】
【発明が解決しようとする課題】
【０００３】  上記従来技術は、屋根裏断熱構造であり、工事が大掛かりとなり、空気層が薄いため断熱効果を余り期待できない。
また、本発明のような広告等のアイキャッチ的要素はまったくなく、目的・機能・効果が異なるものである。
さらに、パイプテントに本発明のような空気膜構造を設けたものは見当たらない。【０００４】  本発明は、このような従来の構成が有していた問題点を解決しようとするものであり、空気膜構造体と送風機というシンプルな構造でありながら、パイプテントや建物の屋根部に空気膜構造体を設けることにより、アイキャッチ性に優れ広告等の役目をすると共に、送風機により流入する空気にて断熱効果を有し、特に夏場のテント使用時には涼しく使用でき、建物においてはヒートアイランド現象を抑えることができる３次元空気膜構造体を実現することを目的とする。
【課題を解決するための手段】
【０００５】  そして、本発明は上記目的を達成するために、パイプテントの屋根部に取り付けるもので、空気膜構造体と、該空気膜構造体を膨らませる送風機とから構成すること。空気膜構造体に、パイプテントのパイプに着脱自在に取り付けるべく、凹凸テープ等による固着部を設けてなること。また、建物の屋根部に取り付けるもので、空気膜構造体と、該空気膜構造体を膨らませる送風機とから構成すること。空気膜構造体に、建物の屋根部に取り付けるべく、固定板による固定部を設けてなること。さらに、空気膜構造体が、キャラクター・動物・植物・乗物等の形状であることを特徴とする。
【発明の効果】
【０００６】１）、空気膜構造体と送風機というシンプルな構造でありながら、例えばパイプテントの屋根部に使用した場合、特に夏場大会や秋の運動会等における暑さ避けになる。
２）、着脱自在な凹凸状テープによる固着部を設けることにより、パイプテントのパイプに簡単に取り付け、取り外しができるため、子供でも使用できる。
３）、建物の屋根部に設けた場合、特に空気による断熱効果により、ヒートアイランド現象を抑えることができ、省エネにも効果を発揮できる。
４）、空気膜構造体の形状を、キャラクター・動物・植物・乗物等にすることにより、特に子供の運動会等におけるテントにおいて各クラスごとに形状を変えることにより識別できると共に、楽しく使用できる。
また、建物においては、例えばペットショップの場合、犬や猫の形状にすれば、遠くからでもペットショップとわかり、集客性を上げると共に、空気を送るのを止めれば必然的に凋み、閉店の合図としても使用できる。
【発明を実施するための最良の形態】
【実施例１】
【０００７】  １は、３次元空気膜構造体である。
２は、空気膜構造体で、動物の熊の頭部の形状とし、下面前後にパイプテントのパイプに、着脱自在に取り付けるべく、凹凸状のテープ等による固着部２ａ（この実施例の場合、前後左右で１６箇所）を設けてなる。
３は、送風機で、送風管ＳＫの先端を上記空気膜構造体２に連結してなるもので、外気を空気膜構造体２内に送り込み膨らませるものである。
なお、上記空気膜構造体２は、ミシン加工にて成形されており、ミシン目Ｍから空気が微量抜け出るため、常に新しい空気を入れ込み、常時膨出してなる。
また、送風機の電源は、ＡＣでもＤＣでもよく、ソーラー電源を利用するもの一考である。【０００８】  以下、上記構成の動作を説明する。
まず、予めパイプテントＰＴの屋根部ＹのパイプＰ・Ｐ１に固着部２ａ−−−を巻き付けて固着する。
つぎに、パイプテントＰＴを立設し、送風機３を作動させることにより、送風管ＳＫより空気Ｋが空気膜構造体２に送られ、膨張させ、熊の頭部の形状に成形するものである。
【実施例２】
【０００９】  つぎに、他の実施例を説明する。
３次元空気膜構造体２１は、建物の屋根部ＹＮに取り付けるべく、空気膜構造体２２の下面外周に枠部２２ｂ１を設けると共に、その外側に固定板２２ｂ２による固定部２２ｂを設けてなるもので、内部に送風機２３を設け、ボルト（アンカーボルト等）Ｂにて固定して取り付けるものである。【００１０】  この３次元空気膜構造体２１は、例えばプレハブによるペットショップＰＳの屋根部ＹＮの外周に空気膜構造体２２をボルトＢ−−−にて固定した後、送風機２３を作動させ、外気Ｇを吸い込み空気Ｋ１を内部に送り込み、膨張させるものである。【００１１】  なお、上記各実施例において、空気膜構造体の大きさや材質は特に限定しない。
また、固着部や固定部においても、同様な機能を有すれば、他の形態も一考である。
さらに、必要に応じて空気膜構造体の形状を決めればよい。
【図面の簡単な説明】
【００１２】
【図１】  本発明の実施形態を示す３次元空気膜構造体の正面図。
【図２】  本発明の実施形態を示す３次元空気膜構造体の側面図。
【図３】  本発明の実施形態を示す３次元空気膜構造体の使用状態の正面図。
【図４】  本発明の実施形態を示す３次元空気膜構造体の使用状態の側面図。
【図５】  本発明の実施形態を示す３次元空気膜構造体の使用状態の要部断面側面図。
【図６】  本発明の実施形態を示す３次元空気膜構造体の使用状態の固着部の取付図。
【図７】  本発明の他の実施形態を示す３次元空気膜構造体の要部正面図。
【図８】  本発明の他の実施形態を示す３次元空気膜構造体の使用状態の正面図。
【符号の説明】
【００１３】１−−−３次元空気膜構造体
２−−−空気膜構造体
３−−−送風機
Ｍ−−−ミシン目
【図１】
2005330787.tif 000003
【図２】
2005330787.tif 000004
【図３】
2005330787.tif 000005
【図４】
2005330787.tif 000006
【図５】
2005330787.tif 000007
【図６】
2005330787.tif 000008
【図７】
2005330787.tif 000009
【図８】
2005330787.tif 000010